(57)【特許請求の範囲】
【請求項１】
底板と天板とを複数の支柱で連結し、正面にパネルを備えた本体の両側面及び背面に吸込口を設け、前記天板に吹出口を設け、前記吸込口と前記吹出口とを結ぶ空気流路に、熱交換器と送風ファンを設け、前記正面パネルの後方に制御基板を収納した電装品箱を設けてなる空気調和機の室外機において、
前記電装品箱を本体横方向に移動可能に支持し、移動時に障害となる支柱を、本体角部より後方に配置するとともに、前記底板端縁に補強片を設け、同補強片で、後方に配置した前記支柱を補強してなることを特徴とする空気調和機の室外機。
【請求項２】
前記補強片は、前記底板の一部を延出して形成されてなることを特徴とする請求項１に記載の空気調和機の室外機。
【発明の詳細な説明】
【技術分野】
【０００１】
本発明は、上吹出型の空気調和機の室外機に関わり、より詳細には、メンテナンス時、電装品箱の移動の障害となる支柱を移設し、内部点検を容易に行えるようにするとともに、移設した支柱の補強構造に関する。
【背景技術】
【０００２】
従来の上吹出型の室外機２０は、図６で示すように、ベース２１上に圧縮機２２及び熱交換器２３を載置するとともに、同ベース２１の四隅に複数の支柱２６を設け、上部には送風ファンを駆動するファンモータ２５を設けている。また、前面上部には、支柱２６の近傍に、制御基板を収納した電装品箱２４が設けられている（特許文献１参照）。
【０００３】
メンテナンス作業時、前面側を開放して、前記圧縮機２２及び熱交換器２３等とともに、これらに接続される電磁開閉弁あるいはセンサ類の点検及び配管からの冷媒リークチェック等の点検が行われるが、前面上部に設けられた電装品箱２４が障害となって、内部を充分に開放することができず、メンテナンス作業が困難になるというような不具合が生じていた。これに対応する為、例えば、前記電装品箱２４を移動可能に支持する一方、移動した際、障害となる前記複数の支柱２６のいずれかを前記ベース２１の四隅から移設して、室外機の前面側を充分に開放できるようにした対策も検討されている。しかしながら、支柱を移設すると、衝撃力等に対して室外機の強度不足を生じる虞があった。
【０００４】
強度不足に対応する他の従来例として、例えば図７（Ａ）の斜視図で示す空気調和機の室外機３０は、矩形状に形成された底板３１と天板３２とを前側支柱３６、３７及び後側支柱３８等の複数の支柱で連結し本体を構成している。本体の前面には前面吸込口３３が形成され、側面には側面吸込口３４が形成されるとともに、天板３２には一対の吹出口３５が形成されている。前記本体内には、圧縮機及びアキュームレータ等が設けられるとともに、これらを囲繞するように熱交換器が設けられ、また、前記吹出口３５に対峙して送風ファンが設けられている。前記前面吸込口３３及び側面吸込口３４から吸込まれた空気は、前記熱交換器を通過して熱交換された後、送風ファンにより前記吹出口３５から吹出されるようになっている（特許文献２参照）。
【０００５】
上吹出型の室外機は、所謂マルチタイプの空気調和機として使用され、各部屋に備えられた複数の室内機が配管により室外機に接続されて冷暖房運転を行うようになっている。近年、冷暖房能力を向上させるため、室外機には大型の熱交換器及び送風ファンが搭載されるようになっており、このため、支柱の強度が不足している場合には、室外機の強度不足を招くばかりでなく、振動及び騒音が増大する等の不具合があった。
【０００６】
前記室外機３０では、図７（Ｂ）で示すように補強部材３９を本体の両側面に設けている。同補強部材３９は、垂直ロッド３９ａと、同垂直ロッド３９ａの上端から二股状に傾斜して延出された上部ロッド３９ｂと、同垂直ロッド３９ａの下端から二股状に傾斜して延出された下部ロッド３９ｃとからなり、上部ロッド３９ｂと下部ロッド３９ｃの先端部には螺子挿通孔３９ｄが夫々穿設されている。
【０００７】
前記補強部材３９の上部ロッド３９ｂは螺子挿通孔３９ｄにより前記天板３２の側面に螺着され、前記下部ロッド３９ｃは螺子挿通孔３９ｄにより前記底板３１の側面に螺着されるようになっており、同補強部材３９により前記天板３２と前記底板３１との両側面が連結されることにより、前記前側支柱３６、３７及び後側支柱３８等の強度不足を補うようになっている。これにより、室外機に発生する振動及び騒音を極力低減して、静粛な運転を行えるようになっている。しかしながら、補強部材３９のような別部材を要し、また、組立作業も煩雑となる不具合があった。
【特許文献１】特開２００７−１４７２４７号（７頁、図３）
【特許文献２】特開２００３−２０２１３３号（３頁、図１）
【発明の開示】
【発明が解決しようとする課題】
【０００８】
本発明は、上記問題点に鑑み、メンテナンス作業時、電装品箱を移動することにより、本体内部を充分に開放できるようにして、種々の機器の点検作業を容易に行える一方、電装品箱の移動に障害とならないよう移設した支柱を、簡易な方法により補強して、衝撃力に対する強度及び振動及び騒音の発生を極力低減できる空気調和機の室外機を提供することを目的とする。
【課題を解決するための手段】
【０００９】
本発明は、上記課題を解決するため、底板と天板とを複数の支柱で連結し、正面にパネルを備えた本体の両側面及び背面に吸込口を設け、前記天板に吹出口を設け、前記吸込口と前記吹出口とを結ぶ空気流路に、熱交換器と送風ファンを設け、前記正面パネルの後方に制御基板を収納した電装品箱を設けてなる空気調和機の室外機において、前記電装品箱を本体横方向に移動可能に支持し、移動時に障害となる支柱を、本体角部より後方に配置するとともに、前記底板端縁に補強片を設け、同補強片で、後方に配置した前記支柱を補強してなる構成となっている。また、前記補強片は、前記底板の一部を延出して形成されてなる構成となっている。
【発明の効果】
【００１０】
本発明によると、本体の前面上部に設けられた電装品箱を本体横方向に移動可能に支持する一方、同電装品箱を移動させた際、移動方向に位置して障害となる支柱を本体角部より後方に移設して、電装品箱の充分な移動が行われるようにし、メンテナンス作業時、本体内部を広く開放して点検作業が容易に行えるようにするとともに、底板端縁に略三角形状に切り起こされた補強片を設け、同補強片が移設した支柱を補強することにより、本体の強度不足を防止し、また、振動及び騒音を極力低減して、静粛な運転を行なうことができる室外機とすることができるようになっている。
【発明を実施するための最良の形態】
【００１１】
以下、本発明の実施の形態を、添付図面に基づいた実施例として詳細に説明する。
【実施例１】
【００１２】
図１は本発明による空気調和機の室外機の外観斜視図である。図２（Ａ）はその断面図であり、図２（Ｂ）は同室外機を複数台、横一列状に設置した際の断面図である。また、図３は電装品箱及び支柱の配置を示す説明図であり、図４（Ａ）〜（Ｃ）は夫々補強板を示す斜視図である。また、図５（Ａ）は電装品箱の移動を示す説明図であり、図５（Ｂ）は電装品箱の構成を示す斜視図である。
【００１３】
本発明による上面吹出型の空気調和機の室外機は、図１の外観斜視図で示すように、矩形状に形成された本体１００の上面に上面吹出口８を設けている。本体１００は、底板１と、同底板１の前面側に立設されたフロントパネル２と、側面吸込口３ａを備えた右側面部３と、これと同様に、図２で示す、側面吸込口５ａを備えた左側面部５と、図示しない背面吸込口を備えた背面部６と、前記フロントパネル２と前記右側面部３との間に傾斜して設けられ、補助吸込口４ａを備えた傾斜パネル４と、前記上面吹出口８を形成した天板７とから外郭筐体を構成し、前記底板１の下面には、前後一対に脚体９が設けられている。また、前記フロントパネル２には、上部パネル２ａと下部パネル２ｂとが着脱自在に設けられている。
【００１４】
上面吹出型の室外機は複数の室内機と配管で接続され、冷暖房運転を行う大容量のマルチタイプの空気調和機に用いられるようになっており、このため、複数台、ビルの屋上等に列状に設置されて使用されるようになっている。
【００１５】
前記本体内には、図２（Ａ）の断面正面図で示すように、底面部に複数の圧縮機１０及び図示しないアキュームレータ、レシーバ等が配設され、また、上方には電源基板及び制御基板等を収納した矩形状の電装品箱１３が設けられている。そして、これら、圧縮機１０及び電装品箱１３等を囲繞するように、平行して並べられた多数のフィンと、同フィンに直交するように蛇行状に配設された伝熱管とからなる熱交換器１１が前記側面吸込口３ａと側面吸込口５ａ及び図示しない背面吸込口に対向して設けられている。
【００１６】
前記上面吹出口８は、円筒状に形成された外周側ベルマウス８ａとともに、内周側ベルマウス８ｂが二重管構造となるように前記天板７から上方に向け突設されており、同内周側ベルマウス８ｂの開放された上面には、網目状に形成されたファンガード８ｃが冠着されている。また、内周側ベルマウス８ｂの内部には送風ファン１２が設けられるとともに、その下方には、同送風ファン１２を回転駆動するファンモータ１２ａが設けられている。前記側面吸込口３ａと側面吸込口５ａ及び背面吸込口から吸込まれた空気は、図２（Ａ）の矢印で示すように、前記熱交換器１１を通過することにより熱交換され、熱交換された空気は前記送風ファン１２により、前記上面吹出口８から吹出されるようになっている。
【００１７】
前記熱交換器１１は、図２（Ｂ）の断面図で示すように、本体の両側面と背面とに沿って略コ字状に形成されるとともに、前記傾斜パネル４に沿って、これと平行か、あるいは傾斜パネル４との間隙が徐々に狭まるように前方斜めに向かう前部延出部１１ａを設けている。前記傾斜パネル４の上部から下部に至る前記補助吸込口４ａから吸込まれた空気は、同熱交換器１１の前部延出部１１ａを通過して熱交換され、前記上面吹出口８から吹出されるようになっている。これにより、熱交換容量不足を補うことができるようになっている。
【００１８】
また、図２（Ｂ）で示すように、上面吹出型の室外機が複数台、横一列状に配置された場合、本体の両側面に形成された前記側面吸込口３ａと側面吸込口５ａとは、隣接された室外機により塞がれたような状態となり吸込性能が低下してしまうが、前記傾斜パネル４に形成された補助吸込口４ａは前面側が開放されているので充分な空気量を吸引することができ、吸込性能の低下を防止することができるようになっている。
【００１９】
前記底板１と前記天板７とを接続する支柱は、図３の斜視図で示すように、前面右側に設けられた第一支柱１４と、前面左側に設けられた第二支柱１５と、後面右側に設けられた第三支柱１７と、後面左側に設けられた第四支柱１６とから構成されている。前記第一支柱１４と第三支柱１７と第四支柱１６とは、夫々、本体の角部に設けられているが、前面左側に位置する前記第二支柱１５は、後述する理由により、本体角部より後方に移動して設けられている。
【００２０】
前記第二支柱１５を、本体角部より後方に移動して設けると、前記上面吹出口８を形成した前記天板７を支持する支持強度が低下する虞があるが、図３で示すように、前記底板１の四側周縁には、上方に折曲されたフランジ１ａが設けられるとともに、前記第二支柱１５の前面側には、略三角形状に切り起こされた補強片１ｂが設けられている。同補強片１ｂが前記第二支柱１５の前面側に螺着されることにより、同第二支柱１５を後方に移動して設置しても、支持強度不足を招くことなく、室外機に発生する振動及び騒音を極力低減して、静粛な運転を行なうことができるようになっている。
【００２１】
前記補強片１ｂは、図４（Ａ）に示すように、前記底板１の周辺を上方に折曲することにより、前記フランジ１ａと連なって略三角形状となっており、前記第二支柱１５に接合される接合面は、更に内側へと折曲されている。前記第二支柱１５の接合は、上述したような螺子止め以外にスポット溶接等により行ってもよい。また、前記底板１と一体となって形成されることにより、充分な強度を備え、製作も容易となっている。
【００２２】
補強片の他の実施例として、図４（Ｂ）に示すように、前記補強片１ｂと同形状の補強片１ｃを左右一対に，対称形に形成して前部第二支柱１５の両側を螺子止め等により固定してもよい。対称形に形成することにより、室外機が大型化し、圧縮機等の振動が増大したような場合でも、支柱の強度を維持し、静粛な運転を行うことができるようになっている。また、図４（Ｃ）に示すように、略三角形状に折曲して形成された補強片１ｄを、前記底板１とは別体に形成し、前記底板１と第二支柱１５に夫々接合してもよい。別体に形成することにより、任意の箇所、任意の方向の補強を行うことができるようになっている。
【００２３】
前記電装品箱１３は、図５（Ｂ）で示すように、前部カバー１３ａと、複数の制御基板及び電源基板等を収納したケース１３ｂとからなり、同ケース１３ｂの上下端縁には、螺子挿通孔を備えた上部フランジ１３ｃと下部フランジ１３ｄとが、夫々折曲されて設けられている。図５（Ａ）で示すように、前記フロントパネル２の上部パネル２ａを外すと、本体１００の内側には、前記電装品箱１３の前記上部フランジ１３ｃと下部フランジ１３ｄとに対応し、螺子孔を備えた上部支持片２ｃと下部支持片２ｄとが形成されており、螺子１８を前記上部フランジ１３ｃと下部フランジ１３ｄの螺子挿通孔に挿通させ、上部支持片２ｃと下部支持片２ｄの螺子孔に螺合させることにより前記電装品箱１３は本体上部の前面側に固定されるようになっている。
【００２４】
螺子１８を抜脱すると、図５（Ａ）で示すように、前記上部フランジ１３ｃと下部フランジ１３ｄとが前記上部支持片２ｃと下部支持片２ｄとにガイドされることにより、前記電装品箱１３は、第二支柱１５側に移動できるようになっている。この際前記第二支柱１５は後方に移動して設けられていることにより、前記電装品箱１３の移動の障害とならないようになっており、これにより、電装品箱１３を横方向に移動させて本体の前面側を充分に開放することができるようになっている。
【００２５】
前記電装品箱１３の移動により、メンテナンス作業時、本体内部を充分に開放することができ、前記圧縮機１０及び前記熱交換器１１とともに、これらに接続される配管類、電磁開閉弁あるいはセンサ等の点検を容易に行うことができるようになっている。
【００２６】
以上、説明したように、電装品箱１３をスライド可能に支持する一方、前記第二支柱１５を後方に移動して、同電装品箱１３の移動の障害とならないよう設置することにより、室外機の前面側を充分に開放して、前記圧縮機１０及び熱交換器１１のみならず、これらに接続される電磁開閉弁あるいはセンサ類の点検及び配管からの冷媒リークチェック等のメンテナンス作業を容易に行えるようになり、また、前記底板１に前記第二支柱１５を補強する補強片１ｂを形成することにより、前記底板１と前記天板７とを連結する支柱の強度を維持しながら、前記圧縮機１０等に起因する振動及び騒音を極力低減して、静粛な運転を行なえる室外機とすることができるようになっている。
【図面の簡単な説明】
【００２７】
【図１】本発明による空気調和機の室外機を示す外観斜視図である。
【図２】（Ａ）は本発明による空気調和機の室外機の断面正面図である。
【００２８】
（Ｂ）は同室外機を横一列状に設置した際の断面図である。
【図３】電装品箱及び支柱の配置を示す説明図である。
【図４】補強片の種々朱の方法を示す斜視図である。
【図５】電装品箱の移動を示す説明図である。
【図６】従来の室外機を示す斜視図である。
【図７】（Ａ）は、従来の室外機を示す外観斜視図である。
【００２９】
（Ｂ）は、補強部材を示す説明図である。
【符号の説明】
【００３０】
１  底板
１ａ  フランジ
１ｂ、１ｃ、１ｄ  補強片
２  フロントパネル
２ａ  上部パネル
２ｂ  下部パネル
２ｃ  上部支持片
２ｄ  下部支持片
３  右側面部
３ａ  側面吸込口
４  傾斜パネル
４ａ  補助吸込口
５  左側面部
５ａ  側面吸込口
６  背面部
７  天板
８  上面吹出口
８ａ  外周側ベルマウス
８ｂ  内周側ベルマウス
８ｃ  ファンガード
９  脚体
１０  圧縮機
１１  熱交換器
１２  送風ファン
１２ａ  ファンモータ
１３  電装品箱
１３ａ  前部カバー
１３ｂ  ケース
１３ｃ  上部フランジ
１３ｄ  下部フランジ
１４  第一支柱
１５  第二支柱
１６  第四支柱
１７  第三支柱
１８  螺子
１００  本体
【図１】
0004835585.tif 000002
【図２】
0004835585.tif 000003
【図３】
0004835585.tif 000004
【図４】
0004835585.tif 000005
【図５】
0004835585.tif 000006
【図６】
0004835585.tif 000007
【図７】
0004835585.tif 000008